(57)【要約】【課題】刃部の保護を維持しつつ、際刈りも良好な作業性で実施可能とする。【解決手段】芝生バリカン１ｂでは、下カバー３０が、前後方向へスライド可能に設けられ、常態ではコイルバネ３５により、ガード部３３の先端が刈り込み刃１４の動作範囲より前方に突出するガード位置に付勢されて、外力によって前端が平面視で刈り込み刃１４の動作範囲内へ退避可能となっている。【選択図】図６
2008022775.tif 000002
【特許請求の範囲】
【請求項１】
モータを収容した本体の下面前方に、前記モータの駆動で左右方向に剪断動作する一対の刈り込み刃を突出させた刈り込み機であって、
常態では前端が前記刈り込み刃の動作範囲より前方に突出するガード位置にあり、外力によって少なくとも前記前端が平面視で前記動作範囲内へ退避可能なガード部材を設けたことを特徴とする刈り込み機。
【請求項２】
ガード部材は、刈り込み刃に沿って本体に設けられ、常態では先端が前記刈り込み刃の動作範囲よりも前方に突出する複数の弾性ピンを前方部分に並設した櫛状体で、外力による変形で前記弾性ピンの先端が前記動作範囲内に退避可能とした請求項１に記載の刈り込み機。
【請求項３】
ガード部材は、刈り込み刃に沿って本体に設けられ、常態では先端が前記刈り込み刃の動作範囲よりも前方に突出する複数のガード棒を前方部分に並設した櫛状体で、各前記ガード棒の先端を、外力による変形で前記刈り込み刃の動作範囲内に退避可能な弾性部材で形成した請求項１に記載の刈り込み機。
【請求項４】
ガード部材は、刈り込み刃に沿って前後へスライド可能且つ常態では付勢手段によって前方のガード位置へ付勢され、外力によって前記刈り込み刃の動作範囲内に後退可能なスライド板である請求項１に記載の刈り込み機。
【請求項５】
モータを収容した本体の下面前方に、前記モータの駆動で左右方向に剪断動作する一対の刈り込み刃を突出させた刈り込み機であって、
常態では前端が前記刈り込み刃の動作範囲より前方に突出するガード位置にあり、少なくとも前記前端が平面視で前記動作範囲内へ退避する退避位置へ任意に移動操作可能なガード部材を設けたことを特徴とする刈り込み機。
【請求項６】
ガード部材は、後端が本体の側方に軸着されて、前方のガード位置と、その上側後方の退避位置との間で回転可能な回転板であり、回転付勢手段によって常態では前記ガード位置へ回転付勢されるものである請求項５に記載の刈り込み機。
【請求項７】
ガード部材は、刈り込み刃に沿って前後へスライド可能且つ常態では付勢手段によって前方のガード位置へ付勢され、操作部によって前記刈り込み刃の動作範囲内に後退操作可能なスライド板である請求項５に記載の刈り込み機。
【発明の詳細な説明】
【技術分野】
【０００１】
本発明は、本体から前方へ突出された刈り込み刃によって芝生や生垣等の刈り込みが可能な芝生バリカン等の刈り込み機に関する。
【背景技術】
【０００２】
例えば芝生バリカンでは、特許文献１に示すように、モータを収容した本体の下面前方に、平面視が櫛刃状の上下一対の刈り込み刃を前方へ向けて突設し、モータの回転に伴い偏心機構を介して両刈り込み刃を左右方向で剪断動作させることで、芝生等の刈り込みを可能としたものが知られている。
【０００３】
【特許文献１】特開２００２−３３５７６１号公報
【発明の開示】
【発明が解決しようとする課題】
【０００４】
上記芝生バリカンは、刈り込み刃の先端が露出しているため、刈り込み作業の際に石等の硬いものに当接すると刃部が損傷するおそれがある。そこで、本体に、刈り込み刃の上方から先端までを覆うガード部材を設けることが考えられるが、壁際の芝生を刈り込むような場合（際刈り）、ガード部材が邪魔になって刃先を壁に近接させて使用できない。ガード部材を着脱可能にして対応するにしても、刈り込み場所によってガード部材をいちいち着脱する手間が生じ、作業性の低下に繋がる。
【０００５】
そこで、本発明は、刃部の保護を維持しつつ、際刈りも良好な作業性で実施できる刈り込み機を提供することを目的としたものである。
【課題を解決するための手段】
【０００６】
上記目的を達成するために、請求項１に記載の発明は、常態では前端が刈り込み刃の動作範囲より前方に突出するガード位置にあり、外力によって少なくとも前端が平面視で刈り込み刃の動作範囲内へ退避可能なガード部材を設けたことを特徴とするものである。
請求項２に記載の発明は、請求項１の目的に加えて、ガード部材を刈り込み面の良好な仕上げにも利用可能とするために、ガード部材を、刈り込み刃に沿って本体に設けられ、常態では先端が刈り込み刃の動作範囲よりも前方に突出する複数の弾性ピンを前方部分に並設した櫛状体とし、外力による変形で弾性ピンの先端が刈り込み刃の動作範囲内に退避可能としたものである。
請求項３に記載の発明は、請求項１の目的に加えて、ガード部材を簡単に得るために、ガード部材を、刈り込み刃に沿って本体に設けられ、常態では先端が刈り込み刃の動作範囲よりも前方に突出する複数のガード棒を前方部分に並設した櫛状体とし、各ガード棒の先端を、外力による変形で刈り込み刃の動作範囲内に退避可能な弾性部材で形成したものである。
請求項４に記載の発明は、請求項１の目的に加えて、ガード部材を簡単に得るために、ガード部材を、刈り込み刃に沿って前後へスライド可能且つ常態では付勢手段によって前方のガード位置へ付勢され、外力によって刈り込み刃の動作範囲内に後退可能なスライド板としたものである。
【０００７】
上記目的を達成するために、請求項５に記載の発明は、常態では前端が刈り込み刃の動作範囲より前方に突出するガード位置にあり、少なくとも前端が平面視で動作範囲内へ退避する退避位置へ任意に移動操作可能なガード部材を設けたことを特徴とするものである。
請求項６に記載の発明は、請求項５の目的に加えて、ガード部材の移動操作を容易に行うために、ガード部材を、後端が本体の側方に軸着されて、前方のガード位置と、その上側後方の退避位置との間で回転可能な回転板とし、回転付勢手段によって常態ではガード位置へ回転付勢される構成としたものである。
請求項７に記載の発明は、請求項５の目的に加えて、ガード部材の移動操作を容易に行うために、ガード部材を、刈り込み刃に沿って前後へスライド可能且つ常態では付勢手段によって前方のガード位置へ付勢され、操作部によって刈り込み刃の動作範囲内に後退操作可能なスライド板としたものである。
【発明の効果】
【０００８】
請求項１及び５に記載の発明によれば、外力によって退避可能或いは任意に移動操作可能なガード部材を設けたことで、刈り込み刃の刃部の保護を維持しつつ、際刈りも良好な作業性で実施可能となる。
請求項２に記載の発明によれば、請求項１の効果に加えて、ガード部材の弾性ピンによって芝生を起立させながら刈り込み刃による刈り込みが可能となり、刈り込み面をより綺麗に仕上げることができる。
請求項３に記載の発明によれば、請求項１の効果に加えて、ガード部材が簡単に形成可能となる。また、弾性部材の損傷や劣化に応じた交換も可能となる。
請求項４に記載の発明によれば、請求項１の効果に加えて、ガード位置から退避するガード部材を簡単に得ることができる。
請求項６に記載の発明によれば、請求項５の効果に加えて、回転板の採用により、ガード位置及び退避位置への移動操作を容易に行うことができる。
請求項７に記載の発明によれば、請求項５の効果に加えて、操作部を備えたスライド板の採用により、ガード位置及び退避位置への移動操作を容易に行うことができる。
【発明を実施するための最良の形態】
【０００９】
以下、本発明の実施の形態を図面に基づいて説明する。
《形態１》
図１は、刈り込み機の一例である芝生バリカンの縦断面図、図２は底面図で、芝生バリカン１は、後方（図１の左側）上側にハンドル３を延設した左右二つ割りで形成される本体としてのハウジング２内に、モータ４を下向きに収容し、モータ４の出力軸５に固着したピニオン６の回転を、その後方で鉛直方向に軸支される第二ギヤ７を介して、出力軸５の前方で鉛直方向に軸支される第三ギヤ８へ減速して出力可能としている。９はモータ駆動用のスイッチ、１０は押し込み操作によってスイッチ９をＯＮさせるスイッチレバーである。第三ギヤ８の下方には、前端が所定間隔で刃部１１ａ，１１ａ・・及び１２ａ，１２ａ・・が突設される平面櫛刃状となる上刃１１と下刃１２とが、上下方向に重ね合わせた状態でピン１３によって略中間部同士で軸着されて、ハウジング２の前方へ突出する前端部分によって刈り込み刃１４を形成している。
【００１０】
一方、第三ギヤ８の下面には、回転中心から夫々相反方向へ偏心する２つのボス１５，１６が下方へ向けて突設されており、一方のボス１５は、カラー１７を介して上刃１１に設けた前後方向の長孔１８内に、他方のボス１６はカラー１９を介して下刃１２に設けた前後方向の長孔２０内に夫々遊挿している。
よって、モータ４の駆動に伴って第三ギヤ８が回転すると、ボス１５，１６の偏心運動によって上刃１１及び下刃１２がボス１５，１６の左右方向の動作に追従してピン１３を中心に左右方向へ互いに逆向きに揺動し、刈り込み刃１４では刃部１１ａ，１２ａによる剪断動作を行うことになる。２１はハウジングの下面を覆う下カバーで、下カバー２１と下刃１２との間には下刃１２の下面を支持してその揺動を案内するプレート２２が介在されている。
【００１１】
そして、ハウジング２の前面下端には、ガード部材として前方へ突出するガード板２３が設けられている。このガード板２３は、上刃１１に近接して刈り込み刃１４の全体を上方から非接触で覆う合成樹脂製（例えばナイロン）の板体で、前端部は、刃部１１ａ，１２ａよりも狭い間隔で弾性ピン２４，２４・・が前方へ突設された平面櫛刃状となっている。この弾性ピン２４は、先端が円形状に形成されて、常態では刈り込み刃１４に沿って刈り込み刃１４の動作範囲よりも僅かな寸法（ここでは約２ｍｍ）だけ前方へ突出するガード位置にあるが、外力によって上下方向等へ変形できる弾性を有している。
【００１２】
以上の如く構成された芝生バリカン１においては、通常の使用状態では、ガード板２３の先端が刈り込み刃１４よりも前方へ突出しているため、刈り込み作業の際に石等があっても先にガード板２３が当接して刈り込み刃１４への当接が防止される。
一方、壁際の芝生等を刈り込む場合は、刈り込み刃１４を壁面に向けて近づけると、ガード板２３の先端が先に壁面に当接して当該部分の弾性ピン２４が弾性変形し、刈り込み刃１４の前進を許容する。よって、そのまま刈り込み刃１４を壁面に近接させて際刈りを行うことができる。
【００１３】
このように上記形態１の芝生バリカン１によれば、常態では前端が刈り込み刃１４の動作範囲より前方に突出するガード位置にあり、外力によって前端が平面視で動作範囲内へ退避可能なガード板２３を設けたことで、刈り込み刃１４の刃部１１ａ，１２ａの保護を維持しつつ、際刈りも良好な作業性で実施可能となる。
特に、ガード部材として、刈り込み刃１４に沿ってハウジング２に設けられ、前方部分に常態では先端が刈り込み刃１４の動作範囲よりも前方に突出する複数の弾性ピン２４を並設した櫛状体のガード板２３を採用し、外力による変形で弾性ピン２４の先端が動作範囲内に退避可能としたので、ガード板２３によって芝生を起立させながら刈り込み刃１４による刈り込みが可能となり、刈り込み面をより綺麗に仕上げることができる。
【００１４】
なお、弾性ピンの数や形状は上記形態に限らず、数を減らして間隔を広げたり、先細り形状としたりして差し支えない。また、先端も円形状以外に三角形状や四角形状等に変更することができる。
さらに、ガード部材は刈り込み刃の上側に限らず、下カバーに固定する等して下側に設けてもよいし、上下両側に設けてもよい。
【００１５】
以下、芝生バリカンに適用した本発明の他の実施形態を説明する。なお、芝生バリカンの駆動機構等、主要な構成は形態１と同様であるので、同じ構成部には同一の符号を付して重複する説明を省略する。
《形態２》
図３に示す芝生バリカン１ａでは、ガード部材としてハウジング２の下端から一体にガード部２５が前方に向けて突設されている。このガード部２５も、図４に示すように、上刃１１に近接して刈り込み刃１４の全体を上方から非接触で覆う合成樹脂製（例えばハウジング２と同じＡＢＳ樹脂）の板状体で、前方部分は、上刃１１の刃部１１ａと同じ間隔で先細り状のガード棒２６，２６・・が突設される平面櫛刃状となっている。また、各ガード棒２６の先端には、一回り小さい芯棒部２７が夫々突設され、その芯棒部２７に弾性部材としてのゴム製のキャップ２８が被着されている。このキャップ２８は、常態では刈り込み刃１４の動作範囲よりも僅かな寸法（約２ｍｍ）だけ前方へ突出するガード位置にあるが、外力によって変形できる弾性を有している。
【００１６】
以上の如く構成された芝生バリカン１ａにおいては、通常の使用状態では、ガード部２５の各キャップ２８の先端が刈り込み刃１４よりも前方へ突出しているため、刈り込み作業の際に石等があっても先にキャップ２８が当接して刈り込み刃１４への当接が防止される。
一方、壁際等の芝生を刈り込む場合は、刈り込み刃１４を壁面に向けて近づけると、キャップ２８の先端が先に壁面に当接して図５のようにキャップ２８が弾性変形し、刈り込み刃１４の前進を許容するため、そのまま刈り込み刃１４を壁面Ｗに近接させて際刈りを行うことができる。
【００１７】
このように上記形態２の芝生バリカン１ａにおいても、刈り込み刃１４の刃先の保護を維持しつつ、際刈りも良好な作業性で実施可能となる。
特に、ガード部材として、刈り込み刃１４に沿ってハウジング２に設けられ、前方部分に常態では先端が刈り込み刃１４の動作範囲よりも前方に突出する複数のガード棒２６を並設した櫛状体のガード部２５を採用し、各ガード棒２６の先端を、外力による変形で刈り込み刃１４の動作範囲内に退避可能なキャップ２８で形成したことで、ガード部材が簡単に形成可能となる。また、キャップ２８の損傷や劣化に応じて交換も可能となる。
【００１８】
なお、本形態２でもガード棒２６の数や形態は適宜変更可能で、特にガード棒とキャップとの連結構造も、芯棒部を設けずに被着したり、一体成形によって一体化させたり等することができる。
また、ガード部も下カバーに一体成形する等して刈り込み刃の下側に設けることもできるし、上下両側に設けることもできる。
【００１９】
《形態３》
図６に示す芝生バリカン１ｂでは、合成樹脂製の下カバー３０が、図７にも示すように、ハウジング２への螺着用のネジ３１が貫通する貫通孔３２，３２・・を前後方向に長くすることで、前後方向へスライド可能なスライド板となっている。同図（Ａ）は下半分を下カバー３０を取り外した状態で示している。この下カバー３０の前方部分は、下刃１２の刃部１２ａと同じ間隔で先細り状のガード部３３，３３・・が突設される平面櫛刃状となっている。
また、下カバー３０の上面中央で後端寄りに立設された係止片３４とハウジング２の後方内面との間には、付勢手段となるコイルバネ３５が前後方向に設けられている。よって、下カバー３０は、常態ではコイルバネ３５により、ネジ３１が貫通孔３２の後端にあってガード部３３の先端が刈り込み刃１４の動作範囲から僅かな寸法だけ前方へ突出する前進位置（ガード位置）に付勢されることになる。
【００２０】
一方、ハウジング２内の後方側面には、ストッパ３６が設けられている。このストッパ３６は、ハウジング２内面に突設された受け板３７の下方で上下動可能に設けられ、受け板３７との間に設けられたコイルバネ３８により、下カバー３０に当接する下限位置に付勢されている。下カバー３０の上面には、前進位置でストッパ３６が嵌合する凹部３９が形成されている。
よって、下カバー３０は常態ではストッパ３６により前進位置でそのスライドを規制されることになるが、ストッパ３６には、図８にも示す如く、ハウジング２の側方に設けた窓４０を介して外部に突出する操作片４１が形成されていることから、操作片４１によってストッパ３６をコイルバネ３８の付勢に抗して上方へスライドさせると、ストッパ３６が凹部３９から離れて下カバー３０のスライド規制が解除されることになる。
【００２１】
以上の如く構成された芝生バリカン１ｂにおいては、通常の使用状態では、前進位置にある下カバー３０のガード部３３の先端が刈り込み刃１４の動作範囲よりも前方へ突出しているため、刈り込み作業の際に石等があっても先にガード部３３が当接して刈り込み刃１４への当接が防止される。
一方、壁際等の芝生を刈り込む場合は、ストッパ３６を上方へスライドさせた状態で刈り込み刃１４を壁面に向けて近づけると、ガード部３３の先端が先に壁面に当接して下カバー３０がコイルバネ３５の付勢に抗して後退し、刈り込み刃１４の前進を許容するため、そのまま刈り込み刃１４を壁面に近接させて際刈りを行うことができる。
【００２２】
このように上記形態３の芝生バリカンにおいても、刈り込み刃１４の刃先の保護を維持しつつ、際刈りも良好な作業性で実施可能となる。
また、ガード部材として、刈り込み刃１４に沿って前後へスライド可能且つ常態ではコイルバネ３５によって前方のガード位置へ付勢され、外力によって刈り込み刃１４の動作範囲内に後退可能なスライド板（下カバー３０）を採用したことで、ガード位置から退避するガード部材を簡単に得ることができる。特にここでは、既存の下カバーをスライド板に兼用したことで部品点数の少ない合理的な構成となっている。
【００２３】
なお、形態３においても、スライド板は下カバーと別に設けてもよいし、スペース的に可能であればスライド板を刈り込み刃の上側でスライド可能且つガード位置へ付勢して設けてもよい。また、付勢手段となるコイルバネはスライド板の後方で複数設けてもよいし、コイルバネ以外に板バネ等の他の付勢手段を採用することもできる。
さらに、スライド板のスライドも、ネジと長孔とによるものに限らず、リブ等のレールとそのレールを受ける凹溝等のガイド部との他の案内手段と、スライド板のスライド位置を規制するストッパとの併用によって実現する等、他の構造も採用可能である。
一方、スライド板のストッパ機構もストッパと凹部との係脱に限らず、凹部を透孔に代えたり、凹部や透孔をなくしてストッパをスライド板の後端に直接当接させて後退を阻止する構造としたり等、適宜変更可能である。
【００２４】
《形態４》
図９，１０に示す芝生バリカン１ｃでは、刈り込み刃１４の上方に、ガード部材として合成樹脂製の回転板４２が設けられる。この回転板４２も、前方部分は、下刃１２の刃部１２ａと同じ間隔で先細り状のガード棒４３，４３・・が突設される平面櫛刃状となっているが、各ガード棒４３の前端には、下方へ向けて折曲する前板４４が形成されて、回転板４２が上刃１１の上面に当接するガード位置では、各ガード棒４３の前板４４が刈り込み刃１４の前方を非接触で覆うように垂下する。
一方、回転板４２の両側部には、一対のアーム４５，４５が後方へ向けて延設されている。各アーム４５の後端に設けられた円筒部４６は、図１１にも示すように、ハウジング２の左右の側面に突設されたボス部４７，４７にネジ４８によって回転可能に軸着されている。但し、円筒部４６には、一端が円筒部４６側に、他端がハウジング２側に係止される回転付勢手段としてのトーションスプリング４９が外装されて、円筒部４６を、回転板４２が刈り込み刃１４側へ当接する方向へ回転付勢している。
【００２５】
よって、常態では回転板４２は図９，１０に示すガード位置に付勢されることになるが、一方の円筒部４６には、図１２にも示す如く、上向きにレバー５０が突設されていることから、レバー５０を後方へ倒して円筒部４６をトーションスプリング４９の付勢に抗して回転させると、同図実線のように回転板４２を上側後方へ回転させて刈り込み刃１４を露出させることができる。
【００２６】
以上の如く構成された芝生バリカン１ｃにおいては、通常の使用状態では、図９．１０や図１２の二点鎖線で示すように、回転板４２がガード位置で刈り込み刃１４を上方から覆い、前板４４で刈り込み刃１４の前方を保護しているため、刈り込み作業の際に石等があっても先に前板４４が当接して刈り込み刃１４への当接が防止される。
一方、壁際等の芝生を刈り込む場合は、図１２の実線で示すように、レバー５０を後方へ回転させると、回転板４２が上側後方の退避位置へ退避して刈り込み刃１４を露出させるため、そのまま刈り込み刃１４を壁面に近接させて際刈りを行うことができる。
【００２７】
このように上記形態４の芝生バリカン１ｃにおいても、常態では前端が刈り込み刃１４の動作範囲より前方に突出するガード位置にあり、前端が平面視で動作範囲内へ退避する退避位置へ任意に移動操作可能な回転板４２を設けたことで、刈り込み刃１４の刃先の保護を維持しつつ、際刈りも良好な作業性で実施可能となる。
特に、ガード部材を、後端がハウジング２の側方に軸着されて、前方のガード位置と、その上側後方の退避位置との間で回転可能な回転板４２とし、トーションスプリング４９によって常態ではガード位置へ回転付勢される構成としたことで、ガード位置及び退避位置への回転板４２の移動操作を容易に行うことができる。
【００２８】
なお、上記形態では回転板を一対のアームで回転可能としているが、何れか一方のみのアームで回転させる片持ちタイプとしても差し支えない。
一方、ガード部材をガード位置と退避位置との間で回転させる構造に限らず、形態３のように前後方向でスライド可能で、且つガード位置に付勢されるスライド板を、指当て部や操作片等を介して後方の退避位置へ任意にスライド操作可能とすることもできる。この場合、形態３のようにスライド板は下カバーで兼用してもよいし、別体で設けてもよい。
【００２９】
《形態５》
図１３に示す芝生バリカン１ｄは、形態３と同様に下カバー３０をスライド板として利用したものであるが、下カバー３０の後端側方には、図１４，１５に示すように、横向きに張り出す突出板５１が形成され、その突出板５１の上に、操作部として、開口をハウジング２側に向けた箱状のツマミ部５２が立設状態でネジ止めされて、このツマミ部５２内にロックボタン５３が遊嵌されている。ロックボタン５３は、ハウジング２側に向けて突設したピン５４を、突出板５１上でツマミ部５２と平行に立設された逆Ｌ字状の支持板５５の筒状部５６に貫通させることで、ハウジング２の側面に対して前後移動可能に支持されている。ピン５４の先端寄りには、ストッパリング５７が直交状に嵌着されて、支持板５５との間に外装されたコイルバネ５８により、ロックボタン５３はハウジング２の側面側へ付勢される。一方、ハウジング２の側面には、下カバー３０の前進位置でロックボタン５３のピン５４が嵌合する嵌合凹部５９が形成されている。
【００３０】
よって、この芝生バリカン１ｄでは、下カバー３０が前進位置に付勢される常態では、ロックボタン５３のピン５４が嵌合凹部５９に嵌合して下カバー３０の後退が規制される。ここでロックボタン５３を、ツマミ部５２と共につまむようにしてツマミ部５２内に押し込めば、ピン５４の先端が嵌合凹部５９から外れて下カバー３０の後退規制を解除するため、そのままツマミ部５２を後退させれば、下カバー３０をコイルバネ３５の付勢に抗して後退させることができる。
【００３１】
以上の如く構成された芝生バリカン１ｄにおいては、通常の使用状態では、前進位置にある下カバー３０のガード部３３の先端が刈り込み刃１４の動作範囲よりも前方へ突出しているため、刈り込み作業の際に石等があっても先にガード部３３が当接して刈り込み刃１４への当接が防止される。
一方、壁際等の芝生を刈り込む場合は、ロックボタン５３をツマミ部５２内に押し込んでピン５４を嵌合凹部５９から外した状態で、そのまま下カバー３０をコイルバネ３５の付勢に抗して後退させれば、ガード部３３が退避して刈り込み刃１４を露出させる。よって、刈り込み刃１４を壁面に近接させて際刈りを行うことができる。
【００３２】
このように上記形態５の芝生バリカン１ｄにおいても、刈り込み刃１４の刃先の保護を維持しつつ、際刈りも良好な作業性で実施可能となる。
また、ガード部材として、刈り込み刃１４に沿って前後へスライド可能且つ常態ではコイルバネ３５によって前方のガード位置へ付勢され、ツマミ部５２によって刈り込み刃１４の動作範囲内に後退操作可能なスライド板（下カバー３０）を採用したことで、ガード位置及び退避位置への移動操作を容易に行うことができる。ここでも既存の下カバーをスライド板に兼用したことで部品点数の少ない合理的な構成となっている。
【００３３】
さらに、下カバー３０に、ガード位置からの後退を規制するロック機構（ロックボタン５３）を設けたことで、誤操作等による下カバー３０の偶発的な後退のおそれがなくなって刈り込み刃１４のより確実な保護が行える。特に、ロックボタン５３をツマミ部５２に添設しているため、両者の操作でロックの解除と後退操作とが同時に可能となり、操作性に優れる。
【００３４】
なお、ツマミ部やロック機構はスライド板の側方に限らず、例えば上記形態では下カバーの後端中央から後方へ張り出した突出板の上面に、ツマミ部と、そのツマミ部から上方へ向けて付勢されるロックボタンとを設け、ツマミ部とロックボタンとのつまみ操作でロックボタンを押し下げてそのまま後退操作可能とする等、他の場所へ設けることもできる。勿論ロック機構は上記ロックボタンに限らず、常態でスライド板のガード位置からの後退を規制するものであれば、先端に設けたピンを常態でハウジング側に係止させる板バネとする等、種々の設計変更が可能である。
【図面の簡単な説明】
【００３５】
【図１】形態１の芝生バリカンの縦断面図である。
【図２】芝生バリカンの底面図である。
【図３】形態２の芝生バリカンの縦断面図である。
【図４】ガード部の部分平面図である。
【図５】際刈り状態を示す説明図である。
【図６】形態３の芝生バリカンの縦断面図である。
【図７】（Ａ）は芝生バリカンの底面図、（Ｂ）はネジ及びストッパ部分の横断面図である。
【図８】ハウジングの後方部分の側面図である。
【図９】形態４の芝生バリカンの縦断面図である。
【図１０】芝生バリカンの底面図である。
【図１１】レバー部分の説明図である。
【図１２】ガード板の動作を示す芝生バリカンの側面図である。
【図１３】形態５の芝生バリカンの縦断面図である。
【図１４】（Ａ）は芝生バリカンの底面図、（Ｂ）は操作部及びロック機構部分の横断面図である。
【図１５】（Ａ）は操作部をハウジング側面側から見た説明図、（Ｂ）はその平面図である。
【符号の説明】
【００３６】
１，１ａ，１ｂ，１ｃ，１ｄ・・芝生バリカン、２・・ハウジング、３・・ハンドル、４・・モータ、１１・・上刃、１１ａ・・刃部、１２・・下刃、１２ａ・・刃部、１４・・刈り込み刃、２３・・ガード板、２４・・弾性ピン、２５，３３・・ガード部、２８・・キャップ、３０・・下カバー、３６・・ストッパ、３９・・凹部、４２・・回転板、４３・・ガード棒、４４・・前板、４５・・アーム、４６・・円筒部、５２・・ツマミ部、５３・・ロックボタン、５４・・ピン、５９・・嵌合凹部。
【図１】
2008022775.tif 000003
【図２】
2008022775.tif 000004
【図３】
2008022775.tif 000005
【図４】
2008022775.tif 000006
【図５】
2008022775.tif 000007
【図６】
2008022775.tif 000008
【図７】
2008022775.tif 000009
【図８】
2008022775.tif 000010
【図９】
2008022775.tif 000011
【図１０】
2008022775.tif 000012
【図１１】
2008022775.tif 000013
【図１２】
2008022775.tif 000014
【図１３】
2008022775.tif 000015
【図１４】
2008022775.tif 000016
【図１５】
2008022775.tif 000017